(57)【要約】【課題】発光体の交換等の作業に必要な空間を確保するために発光体収容部と表示パネル保持部とを離隔するように所定角度回動した位置で係止し、作業終了後に係止を手動操作によって適切に解除することができる表示装置を提供する。【解決手段】発光体収容部８と、発光体収容部８と対向する位置に配されたパネル保持部２とが所定角度をなす位置に回動して係止され、手動操作に連係して係止が解除される。係止機構は先端部同士が枢支連結された２つのリンク１０，１１と、両基端部及び両先端部が一直線上に位置する死点を超えて２つのリンクが開いた位置で係合して死点から離れる側への揺動を規制する係合部１０ｃと被係合部１１ｃとを有する。解除機構はリンク１１に連結され、発光体収容部８の内部に配されたワイヤー１２を有し、発光体収容部８の外面に露出するワイヤー１２の途中部分に手動操作具１６を取り付けてある。【選択図】図１
2010008940.tif 000002
【特許請求の範囲】
【請求項１】
発光体が発する光を出射する開口を有する発光体収容部と、
前記発光体収容部の開口と対向する位置に配され、該開口から出射した光が通過する位置に表示パネルを保持するパネル保持部とを備え、
前記発光体収容部とパネル保持部とが対向する方向に接離するように回動可能に枢支してある表示装置において、
前記発光体収容部とパネル保持部とが互いに所定角度をなすように回動した位置で前記発光体収容部とパネル保持部とを回動が規制された状態に係止する係止機構と、前記発光体収容部又はパネル保持部に設けた手動操作具の操作に連係して前記係止機構による係止を解除する解除機構とが設けてあることを特徴とする表示装置。
【請求項２】
前記係止機構は、基端部が前記発光体収容部及びパネル保持部の夫々に揺動自在に枢支され、先端部同士が枢支連結された２つのリンクと、該２つのリンクの一方のリンクの先端部に設けた係合部と、他方のリンクの先端部に設けた被係合部とを有し、両基端部及び両先端部が一直線上に位置する死点を超えて２つのリンクが開いた位置で前記係合部が前記被係合部に係合して前記死点から離れる側への２つのリンクの揺動を規制してあることを特徴とする請求項１に記載の表示装置。
【請求項３】
前記解除機構は、前記手動操作具の操作を前記２つのリンクのいずれか一方が両リンクを閉じる側に揺動する動きに変換する変換手段を有することを特徴とする請求項２に記載の表示装置。
【請求項４】
前記変換手段は、一端部が前記一方のリンクの揺動部位に連結されたワイヤーと、該ワイヤーに張力を付加する状態で該ワイヤーの他端部を支持するワイヤー支持手段とを有し、
前記手動操作具は、前記発光体収容部又はパネル保持部の外面に露出する状態で前記ワイヤーの途中部分に取り付けてあることを特徴とする請求項３に記載の表示装置。
【請求項５】
前記変換手段は、前記一方のリンクの基端部に設けたピニオンと、該ピニオンに噛合するラックを一端部に備えて長手方向に摺動自在に保持された棒体とを有し、該棒体の他端部が一端部側へ押し込まれたときに前記一方のリンクが両リンクを閉じる側に揺動する構成であり、
前記手動操作具は、前記棒体の他端部の押し込みが可能な押圧具であることを特徴とする請求項３に記載の表示装置。
【請求項６】
前記係止機構は、前記発光体収容部又はパネル保持部の一方に設けた係止片と、基端部が前記発光体収容部又はパネル保持部の他方に揺動自在に枢支され、前記係止片と係止可能な係止部を先端部に設けたアームと、該アームを前記係止部が前記係止片に係止する側に付勢する付勢手段とを有することを特徴とする請求項１に記載の表示装置。
【請求項７】
前記解除機構は、前記手動操作具の操作を前記係止部と前記係止片とが係止しない側へ前記アームが揺動する動きに変換する変換手段を有することを特徴とする請求項６に記載の表示装置。
【請求項８】
前記変換手段は、一端部が前記アームの揺動部位に連結されたワイヤーと、該ワイヤーに張力を付加する状態で該ワイヤーの他端部を支持するワイヤー支持手段とを有し、
前記手動操作具は、前記発光体収容部又はパネル保持部の外面に露出する状態で前記ワイヤーの途中部分に取り付けてあることを特徴とする請求項７に記載の表示装置。
【請求項９】
前記変換手段は、前記アームの基端部に設けたピニオンと、該ピニオンに噛合するラックを一端部に備えて長手方向に摺動自在に保持された棒体とを有し、該棒体の他端部が一端部側へ押し込まれたときに前記アームの係止部が前記係止片と係止しない側へ揺動する構成であり、
前記手動操作具は、前記棒体の他端部の押し込みが可能な押圧具であることを特徴とする請求項７に記載の表示装置。 
【発明の詳細な説明】
【技術分野】
【０００１】
本発明は、部品の交換や内部の清掃が容易にできるように、表示パネルの保持部と発光体の収容部とが互いに離隔するように回動可能に枢支された表示装置に関する。
【背景技術】
【０００２】
例えば液晶表示装置は、液晶パネルの背面側に配置したバックライト（発光体）から光を照射し、液晶の電気光学特性を制御して画像を表示させる構成であるが、長期間の使用に伴い、液晶パネル及びバックライト用の蛍光管等が劣化し、性能が低下する場合がある。そのため、液晶パネルを挟持する２つのフレーム及びバックライトを収容するバックライトシャーシを互いに回動可能に取り付け、液晶パネルの交換をするときは、２つのフレームを互いに離隔するように回動させて作業空間を確保し、蛍光管又は光学シートの交換をするときは、２つのフレームを一体としてバックライトシャーシから離隔するように回動させて作業空間を確保するようにした表示装置が提案されている（特許文献１参照）。
【特許文献１】特開２００７−２３２９３７号公報
【発明の開示】
【発明が解決しようとする課題】
【０００３】
特許文献１には、作業空間を確保する角度位置に回動させたフレーム及びシャーシが作業中に不用意に回動しないように、液晶パネルを保持する２つのフレームをバックライトシャーシに対して回動した位置で回動不可能に係止する係止手段の記載はあるが、具体的な構成は示されていない。また、係止状態を解除する手段については示されていない。
【０００４】
本発明は、上述したような事情に鑑みてなされたものであり、作業に必要な空間を確保するために発光体収容部と表示パネル保持部とが離隔するように所定角度回動した位置に維持し、作業終了後に手動操作によって発光体収容部と表示パネル保持部とが回動可能な状態に適切に戻すことができる表示装置を提供することを目的とする。
【課題を解決するための手段】
【０００５】
本発明に係る表示装置は、発光体が発する光を出射する開口を有する発光体収容部と、前記発光体収容部の開口と対向する位置に配され、該開口から出射した光が通過する位置に表示パネルを保持するパネル保持部とを備え、前記発光体収容部とパネル保持部とが対向する方向に接離するように回動可能に枢支してある表示装置において、前記発光体収容部とパネル保持部とが互いに所定角度をなすように回動した位置で前記発光体収容部とパネル保持部とを回動が規制された状態に係止する係止機構と、前記発光体収容部又はパネル保持部に設けた手動操作具の操作に連係して前記係止機構による係止を解除する解除機構とが設けてあることを特徴とする。
【０００６】
本発明によれば、発光体収容部とパネル保持部とが所定角度回動されて対向する方向に離隔した位置で回動を規制された状態に係止され、発光体収容部又はパネル保持部に設けた手動操作具を操作しない限り、発光体収容部とパネル保持部との間に作業空間が確保される。発光体収容部とパネル保持部との回動を規制された係止状態で、発光体収容部又はパネル保持部に設けた手動操作具を操作することによって、発光体収容部とパネル保持部との係止が解除され、発光体収容部とパネル保持部とを対向する方向に接近するように回動させることができる。
【０００７】
本発明に係る表示装置は、前述の発明における前記係止機構は、基端部が前記発光体収容部及びパネル保持部の夫々に揺動自在に枢支され、先端部同士が枢支連結された２つのリンクと、該２つのリンクの一方のリンクの先端部に設けた係合部と、他方のリンクの先端部に設けた被係合部とを有し、両基端部及び両先端部が一直線上に位置する死点を超えて２つのリンクが開いた位置で前記係合部が前記被係合部に係合して前記死点から離れる側への２つのリンクの揺動を規制してあることを特徴とする。
【０００８】
本発明によれば、発光体収容部とパネル保持部とが対向した位置では、２つのリンクの両基端部は最も近づき、先端部同士が枢支連結された２つのリンクは閉じた状態になる。発光体収容部とパネル保持部とを対向した位置から離隔するように回動させると、２つのリンクは開き側に揺動し、両基端部及び両先端部が一直線上に位置する死点を超えて開き側に揺動した位置で、一方のリンクの先端部に設けた係合部が他方のリンクの先端部に設けた被係合部に係合し、死点から離れる側への２つのリンクの揺動が規制される。係合部が被係合部に係合した状態で、発光体収容部又はパネル保持部に接近する方向の力が加わると、２つのリンクの一方のリンクに基端部から先端部に向かう押圧力が働くので、先端部同士が枢支連結された他方のリンクは基端部回りに死点の位置から離れる側に揺動しようとするが、死点から離れる側への揺動は規制されているため、両リンクは死点を超えた開き位置に保持される。
【０００９】
本発明に係る表示装置は、前述の発明における前記解除機構は、前記手動操作具の操作を前記２つのリンクのいずれか一方が両リンクを閉じる側に揺動する動きに変換する変換手段を有することを特徴とする。
本発明によれば、手動操作具を操作すると、手動操作具の操作が２つのリンクのいずれか一方が死点を超えて開き側に位置した両リンクを閉じる側に揺動する動きに変換されて、２つのリンクは死点に近づくが、死点に近づく側への揺動は規制されていないので、２つのリンクはそのまま死点を超えて閉じる側に揺動し、発光体収容部とパネル保持部との係止が解除される。
【００１０】
本発明に係る表示装置は、前述の発明における前記変換手段は、一端部が前記一方のリンクの揺動部位に連結されたワイヤーと、該ワイヤーに張力を付加する状態で該ワイヤーの他端部を支持するワイヤー支持手段とを有し、前記手動操作具は、前記発光体収容部又はパネル保持部の外面に露出する状態で前記ワイヤーの途中部分に取り付けてあることを特徴とする。
本発明によれば、一端部が前記一方のリンクの揺動部位に連結され、張力を付加する状態で他端部が支持されたワイヤーの途中部分に発光体収容部又はパネル保持部の外面に露出する状態で取り付けた手動操作具を操作すると、一方のリンクの揺動部位に連結されたワイヤーが移動し、一方のリンクが２つのリンクを閉じる側に揺動する。
【００１１】
本発明に係る表示装置は、前述の発明における前記変換手段は、前記一方のリンクの基端部に設けたピニオンと、該ピニオンに噛合するラックを一端部に備えて長手方向に摺動自在に保持された棒体とを有し、該棒体の他端部が一端部側へ押し込まれたときに前記一方のリンクが両リンクを閉じる側に揺動する構成であり、前記手動操作具は、前記棒体の他端部の押し込みが可能な押圧具であることを特徴とする。
本発明によれば、長手方向に摺動自在に保持された棒体の他端部を押圧具で一端部側へ押し込むと、棒体の一端部に備えたラックが前記一方のリンクの基端部に設けたピニオンに噛合してピニオンを回転させ、基端部にピニオンを設けた一方のリンクが２つのリンクを閉じる側に揺動する。
【００１２】
本発明に係る表示装置は、前述の発明における前記係止機構は、前記発光体収容部又はパネル保持部の一方に設けた係止片と、基端部が前記発光体収容部又はパネル保持部の他方に揺動自在に枢支され、前記係止片と係止可能な係止部を先端部に設けたアームと、該アームを前記係止部が前記係止片に係止する側に付勢する付勢手段とを有することを特徴とする。
【００１３】
本発明によれば、発光体収容部とパネル保持部とが対向した位置では、発光体収容部又はパネル保持部の一方に設けた係止片と、発光体収容部又はパネル保持部の他方に基端部が揺動自在に枢支されたアームの先端部に設けた係止部とは係止していない。発光体収容部とパネル保持部とを対向した位置から離隔するように回動させると、係止部が係止片に係止する側に付勢されているアームが揺動し、アームが所定角度揺動した位置でアームの先端部に設けた係止部が係止片に係止する。係止部が係止片に係止した状態では、アームに働く付勢力によって係止部が係止片に係止した状態から外れないように維持される。
【００１４】
本発明に係る表示装置は、前述の発明における前記解除機構は、前記手動操作具の操作を前記係止部と前記係止片とが係止しない側へ前記アームが揺動する動きに変換する変換手段を有することを特徴とする。
本発明によれば、手動操作具を操作すると、手動操作具の操作が前記係止部と前記係止片とが係止しない側へ前記アームが揺動する動きに変換されて、前記係止部と前記係止片との係止が解除され、発光体収容部とパネル保持部との係止が解除される。
【００１５】
本発明に係る表示装置は、前述の発明における前記変換手段は、一端部が前記アームの揺動部位に連結されたワイヤーと、該ワイヤーに張力を付加する状態で該ワイヤーの他端部を支持するワイヤー支持手段とを有し、前記手動操作具は、前記発光体収容部又はパネル保持部の外面に露出する状態で前記ワイヤーの途中部分に取り付けてあることを特徴とする。
本発明によれば、一端部が前記アームの揺動部位に連結され、張力を付加する状態で他端部が支持されたワイヤーの途中部分に発光体収容部又はパネル保持部の外面に露出する状態で取り付けた手動操作具を操作すると、アームの揺動部位に連結されたワイヤーが移動し、アームが係止部と前記係止片とが係止しない側へ揺動する。
【００１６】
本発明に係る表示装置は、前述の発明における前記変換手段は、前記アームの基端部に設けたピニオンと、該ピニオンに噛合するラックを一端部に備えて長手方向に摺動自在に保持された棒体とを有し、該棒体の他端部が一端部側へ押し込まれたときに前記アームの係止部が前記係止片と係止しない側へ揺動する構成であり、前記手動操作具は、前記棒体の他端部の押し込みが可能な押圧具であることを特徴とする。
本発明によれば、長手方向に摺動自在に保持された棒体の他端部を押圧具で一端部側へ押し込むと、棒体の一端部に備えたラックが前記アームの基端部に設けたピニオンに噛合し、アームが係止部と前記係止片とが係止しない側へ揺動する。
【発明の効果】
【００１７】
本発明に係る表示装置によれば、作業に必要な空間を確保するために発光体収容部と表示パネル保持部とが離隔するように所定角度回動した位置に回動を規制する係止機構によって維持し、発光体収容部又はパネル保持部に設けた手動操作具の操作に連係した解除機構により、作業終了後に手動操作によって発光体収容部と表示パネル保持部とが回動可能な状態に適切に戻すことができる表示装置が提供される。
【００１８】
本発明に係る表示装置によれば、先端部同士が枢支連結された２つのリンクが発光体収容部と表示パネル保持部との離隔する側への回動によって開き側に揺動し、２つのリンクの両基端部及び両先端部が一直線上に位置する死点を超えた開き位置に保持され、閉じ側への揺動が規制されるので、発光体収容部と表示パネル保持部とを所定角度回動した位置に適切に維持することができる表示装置が提供される。
【００１９】
本発明に係る表示装置によれば、手動操作具を操作すると、２つのリンクのいずれか一方が両リンクを閉じる側に揺動して、死点を超えた開き位置にある２つのリンクが死点を超えて閉じる側に揺動し、発光体収容部とパネル保持部との係止が解除されるので、発光体収容部と表示パネル保持部とが回動可能な状態に適切に戻すことができる表示装置が提供される。
【００２０】
本発明に係る表示装置によれば、発光体収容部又はパネル保持部の外面に露出した手動操作具の操作に連係して、前記一方のリンクの揺動部位に連結されたワイヤーが移動し、前記一方のリンクを２つのリンクを閉じる側に揺動させるので、発光体収容部と表示パネル保持部との係止を解除する操作が容易な表示装置が提供される。
【００２１】
本発明に係る表示装置によれば、押圧具の押し込み操作に連係して、前記一方のリンクの基端部に設けたピニオンと棒体の一端部に備えたラックとが噛み合い、前記一方のリンクを２つのリンクを閉じる側に揺動させるので、発光体収容部と表示パネル保持部との係止を解除する操作が容易な表示装置が提供される。
【００２２】
本発明に係る表示装置によれば、発光体収容部又は表示パネル保持部の他方に基端部が揺動自在に枢支されたアームが発光体収容部と表示パネル保持部との離隔する側への回動によって揺動し、所定角度揺動した位置でアームの先端部に設けた係止部が発光体収容部又は表示パネル保持部の一方に設けた係止片に係止し、アームに働く付勢力によって係止部が係止片に係止した状態が外れないように維持されるので、発光体収容部と表示パネル保持部とを所定角度回動した位置に適切に維持することができる表示装置が提供される。
【００２３】
本発明に係る表示装置によれば、手動操作具を操作すると、発光体収容部又はパネル保持部の他方に設けたアームが揺動して、アームの先端部に設けた係止部と発光体収容部又はパネル保持部の一方に設けた係止片との係止が解除され、発光体収容部とパネル保持部との係止が解除されるので、発光体収容部と表示パネル保持部とが回動可能な状態に適切に戻すことができる表示装置が提供される。
【００２４】
本発明に係る表示装置によれば、発光体収容部又はパネル保持部の外面に露出した手動操作具の操作に連係して、前記アームの揺動部位に連結されたワイヤーが移動し、前記アームを係止部が係止片に係止しない側へ揺動させるので、発光体収容部と表示パネル保持部との係止を解除する操作が容易な表示装置が提供される。
【００２５】
本発明に係る表示装置によれば、押圧具の押し込み操作に連係して、前記アームの基端部に設けたピニオンと棒体の一端部に備えたラックとが噛み合い、前記アームを係止部が係止片に係止しない側へ揺動させるので、発光体収容部と表示パネル保持部との係止を解除する操作が容易な表示装置が提供される。
【発明を実施するための最良の形態】
【００２６】
以下、本発明に係る表示装置の実施の形態について、液晶表示装置を例として図面に基づいて説明する。
（第１の実施の形態）
図１は本発明の第１の実施の形態に係る表示装置を示す斜視図、図２は同表示装置の平面図、図３は図２のＩＩＩ−ＩＩＩ線における断面図、図４は同表示装置の開閉操作の途中状態を示す平面図、図５は同表示装置の開き操作の終了状態を示す平面図である。
【００２７】
本発明に係る表示装置は、前キャビネット２と後キャビネット８とを備え、さらに前キャビネット２に取り付けられるパネル保持枠３と、後キャビネット８に側面及び背面を覆うようにして取り付けられるバックライトシャーシ４とを備えている。
【００２８】
パネル保持枠３は、内周部に額縁部分を有する前枠３ａと、前枠３ａの後側に位置する後枠３ｂとを有している。液晶パネル１は、前枠３ａの額縁部分と、後枠３ｂの前側部分とによって前後から押圧挟持し、後枠３ｂを前枠３ａにビスにて固定してある。前キャビネット２は内周部に開口を有し、パネル保持枠３は額縁部分の開口を前キャビネット２の開口に合わせた状態で後側から前キャビネット２に当接し、ビスにて固定してある。
【００２９】
バックライト５は液晶パネル１を背面側から照明する光を発し、バックライトシャーシ４はバックライト５が発する光を出射する開口４ａを前面に有する直方体状の箱体で構成される。液晶パネル１はバックライトシャーシ４の開口４ａと対向する位置に配される。バックライト５は複数の直線状の冷陰極又は熱陰極蛍光管にて構成され、該複数の蛍光管をバックライトシャーシ４の内部に横置き状態で縦方向に並置させている。バックライト５はランプ保持具５ａに保持され、ランプ保持具５ａはバックライトシャーシ４の壁面に取り付けてある。バックライトシャーシ４の内部壁面には反射膜４ｂが形成してある。バックライトシャーシ４の下部には支持用の台９が取り付けてある。
【００３０】
バックライトシャーシ４の外周部の前面側には全周に亘って段状の光学部材受け部４ｃが設けられ、当該光学部材受け部４ｃに光拡散板等からなる矩形状の光学シート７が配置され、バックライトシャーシ４側に設けたピン４ｄに光学シート７に設けた孔７ａを係止させて懸架してある。従って液晶パネル１及び光学シート７は、バックライトシャーシ４の開口４ａから出射した光が通過する位置に位置する。
【００３１】
前キャビネット２の側面に固定した蝶番片６ａと後キャビネット８の側面に固定した蝶番片６ｂとからなる蝶番６，６が、前キャビネット２及び後キャビネット８の側面の上端部と下端部とに夫々設けてある。前キャビネット２及び後キャビネット８は、対向する方向に離隔又は接近するように蝶番６，６によって回動可能に枢支してある。前キャビネット２が後キャビネット８から離隔したときの荷重を支持するキャスター式の車輪３０が設けられ、車輪３０支持部３０ａを嵌合保持可能な凹状の車輪受け部２ａが前キャビネット２の蝶番片６ａを設けた側とは反対側の端部の下面に形成してある。
【００３２】
蝶番片６ａを設けた側とは反対側の端部の前キャビネット２及び後キャビネット８の側面には、対向した状態の前キャビネット２と後キャビネット８とを固定するためのクランパー３１が設けてある。クランパー３１は、前キャビネット２及び後キャビネット８の対向方向に回動自在なレバー部３２と、レバー部３２の回動部位に枢着された係止部３３と、一端がレバー部３２の回動の基端部に連結され他端が後キャビネット８に固着されたばね３４と、ばね３４より後キャビネット８の背面側に位置するストッパ３５とを後キャビネット８に設けてあり、係止部３３が係止する突起部３６を前キャビネット２に設けてある。クランパー３１により前キャビネット２と後キャビネット８とを固定するときは、係止部３３を突起部３６に係止し、レバー部３２をばね３４のばね力に抗して背面側へ回動させ、レバー部３２をストッパ３５に係止する。前キャビネット２と後キャビネット８との固定を解除するときは、レバー部３２を正面側へ回動させてストッパ３５との係止を解除すると、ばね３４のばね力により、レバー部３２が正面側へ回動して突起部３６との係止が解除され、前キャビネット２と後キャビネット８との固定が解除される。
【００３３】
前キャビネット２を後キャビネット８に対向した位置から離隔するように回動させるときは、前キャビネット２の下面の車輪受け部２ａに車輪３０を取り付け、次にクランパー３１による前キャビネット２と後キャビネット８との固定を解除してから、前キャビネット２を後キャビネット８に対して回動させる。前キャビネット２を後キャビネット８に対向する位置に戻したときは、クランパー３１によって前キャビネット２と後キャビネット８とを固定した後、車輪３０を前キャビネット２の下面の車輪受け部２ａから取り外す。
【００３４】
次に、前キャビネット２と後キャビネット８とが互いに所定角度をなすように回動した位置で前キャビネット２と後キャビネット８とを回動が規制された状態に係止する係止機構について説明する。
【００３５】
基端部１０ａを前キャビネット２の上部に縦軸回りに揺動自在に枢支されたリンク１０と、基端部１１ａを後キャビネット８の上部に縦軸回りに揺動自在に枢支されたリンク１１とが設けられ、両リンク１０，１１は所定厚さの板部材で構成される。両リンク１０，１１は先端部１０ｂ，１１ｂ同士が縦軸回りに揺動自在に枢支連結されている。尚、両リンク１０，１１が閉じた状態では、リンク１０は前キャビネット２の開口部２ｂを通して前キャビネット２の内部に収納され、リンク１１は後キャビネット８の開口部８ａを通して後キャビネット８の内部に収納される。
【００３６】
リンク１０の先端部１０ｂの枢支点Ｓ３から基端部１０ａ寄りの板面に突片１０ｃが設けられ、リンク１１の先端部１１ｂには延長部１１ｃが連設してある。図５に示すように、両リンク１０，１１が開き側に揺動して、両リンク１０，１１の基端部１０ａ，１１ａの各枢支点Ｓ１，Ｓ２及び両先端部１０ｂ，１１ｂの枢支点Ｓ３が一直線上に位置する死点ＤＰ（デッドポイント）を超えた位置で、突片１０ｃと延長部１１ｃとが係合するように設けてある。突片１０ｃと延長部１１ｃとが係合した状態で、前キャビネット２に後キャビネット８側へ閉じる向きの力が加わると、リンク１０で基端部１０ａから先端部１０ｂに向かう押圧力が働くので、先端部１０ｂ，１１ｂ同士が枢支連結された他方のリンク１１は基端部１１ａ回りに死点ＤＰの位置から離れる側に揺動しようとするが、死点ＤＰの位置から離れる側への揺動は突片１０ｃと延長部１１ｃとの係合によって規制されているため、両リンク１０，１１は死点ＤＰを超えた開き位置に保持される。その結果、前キャビネット２と後キャビネット８とが回動を規制された状態に係止される。
【００３７】
次に、前記係止機構による係止を解除する解除機構について説明する。図６は、本発明の第１の実施の形態に係る表示装置の解除機構を模式的に示す図、図７は同解除機構の一部を示す側面図、図８は図７のＶＩＩＩ−ＶＩＩＩ線における断面図である。
【００３８】
リンク１１の先端部１１ｂの枢支点Ｓ３から基端部１１ａ寄りの揺動部位に一端部を連結されたワイヤー１２が、第１ローラー１３と第２ローラー１４とによって後キャビネット８の内部に上面及び側面に沿うように配され、ワイヤー１２の他端部は後キャビネット８に一端が固定されたバネ１５の他端に連結してある。後キャビネット８の側面に凹部８ｂが設けられ、該凹部８ｂ内にはワイヤー１２の一部が上下方向に配されて露出している。その露出したワイヤー１２の部分にハンドル１６を取り付けてあり、ハンドル１６は後キャビネット８の凹部８ｂ内に収まっている。尚、第１ローラー１３及び第２ローラー１４の夫々に代えて、ワイヤー１２の案内溝を備えたガイド部材を設けてもよい。
【００３９】
バネ１５はワイヤー１２に弛みが生じない程度の極力弱い張力を付加するもので、バネ１５のバネ力では両リンク１０，１１が図５の死点ＤＰの位置を超えて閉じ側には揺動できないようにバネ特性が設定してある。また、前キャビネット２に軽く触れた程度ではリンク１０，１１が誤動作しないように、枢支点Ｓ１，Ｓ２，Ｓ３の少なくとも１つに、回転抵抗トルクを発生させる機構が設けられており、振動や軽微な力ではリンク１０，１１が回動しないよう構成されている。後キャビネット８の凹部８ｂ内に手を入れてハンドル１６を把持し、下側に引くことによりワイヤー１２が第１ローラー１３及び第２ローラー１４を回転させながら長さ方向に移動し、リンク１１の揺動部位を両リンク１０，１１が閉じる側に引っ張る。その結果、死点ＤＰを超えた開き位置に保持されていた両リンク１０，１１は死点ＤＰの位置に戻った後、死点ＤＰの位置を通過して閉じ側に揺動し、前キャビネット２と後キャビネット８との係止が解除される。
【００４０】
（第２の実施の形態）
図９は本発明の第２の実施の形態に係る表示装置の斜視図、図１０は同表示装置の解除機構を示す斜視図である。第２の実施の形態では、前記解除機構が第１の実施の形態と異なるが、前記係止機構を含めて他の構成は第１の実施の形態と同一である。以下、第１の実施の形態との相違点について説明する。
【００４１】
リンク１０の基端部１０ａに枢支点Ｓ１と同軸にピニオン１７が設けてある。前キャビネット２の内部には、上面に沿う向きに配置され、図示しない手段で長さ方向に摺動自在に支持された棒体１８を設けてある。棒体１８の一端部にはピニオン１７に噛合可能なラック１８ａを形成し、棒体１８の他端部には長さ方向に略直交した当接面１８ｂと該当接面１８ｂに立設したピン状の押し部１８ｃとを設けている。棒体１８を長さ方向に沿って一端部側から他端部側へ付勢する圧縮バネ１９が設けてある。
【００４２】
押し部１８ｃを押し込んでいない場合は、圧縮バネ１９のばね力によって、棒体１８はラック１８ａがピニオン１７に噛合しない位置まで移動し、当接面１８ｂは前キャビネット２の内面に当接し、押し部１８ｃは前キャビネット２の側面に設けた孔２ｃから外部に突出した状態となる。この状態で、前キャビネット２と後キャビネット８とを対向する位置から離隔する側に回動して両リンク１０，１１を開き側に揺動し、両リンク１０，１１の基端部１０ａ，１１ａの各枢支点Ｓ１，Ｓ２及び両先端部１０ｂ，１１ｂの枢支点Ｓ３が一直線上に位置する死点ＤＰ（デッドポイント）を超えた位置で、突片１０ｃと延長部１１ｃとが係合するまで回動させると、両リンク１０，１１は死点ＤＰを超えた開き位置に保持され、前キャビネット２と後キャビネット８とが離隔した位置に維持される。
【００４３】
次に押し部１８ｃを手の指等にて内側に押し込むことにより、棒体１８が圧縮バネ１９のばね力に抗して長さ方向に移動し、ラック１８ａがピニオン１７に噛合してリンク１０を両リンク１０，１１が閉じる側に揺動させる。その結果、死点ＤＰを超えた開き位置に保持されていた両リンク１０，１１は死点ＤＰの位置に戻った後、死点ＤＰの位置を通過して閉じ側に揺動し、前キャビネット２と後キャビネット８との係止が解除される。
【００４４】
（第３の実施の形態）
図１１は本発明の第３の実施の形態に係る表示装置の斜視図、図１２は同表示装置の平面図、図１３は同表示装置の開閉操作の終了状態を示す平面図、図１４は同表示装置の解除機構を示す斜視図である。第３の実施の形態では、前記係止機構及び解除機構の一部が第２の実施の形態と異なるが、他の構成は第２の実施の形態と同一である。以下、第２の実施の形態との相違点について説明する。
【００４５】
基端部２０ａを前キャビネット２の上部に縦軸回りに揺動自在に枢支され、先端部にコの字状の係止部２０ｂを備えたアーム２０が設けられ、後キャビネット８の上部には係止部２０ｂに係止可能なピン形状の係止片２１が設けてある。アーム２０は所定幅の板材で構成され、係止部２０ｂのコの字部分はアーム２０の側面部２０ｃより板面方向に突き出ている。アーム２０の側面部２０ｃの係止部２０ｂとの境界部分には板面方向に突き出て係止部２０ｂのコの字部分に滑らかにつながる案内部２０ｄを形成してある。アーム２０の基端部２０ａには、枢支点Ｓ４と同軸にピニオン２２が設けられ、アーム２０の基端部２０ａを係止部２０ｂが係止片２１に係止する側（図１２、図１３に矢印で示す側）に回転するように付勢する弦巻バネ２３が設けてある。アーム２０の長さは、前キャビネット２と後キャビネット８とが対向した位置で、弦巻バネ２３によって付勢されているアーム２０の係止部２０ｂより基端部２０ａ側の側面部２０ｃに係止片２１が当接する長さにしてある。
【００４６】
前キャビネット２の内部には、上面に沿う向きに配置され、図示しない手段で長さ方向に摺動自在に支持された棒体２４を設けてある。棒体２４の一端部にはアーム２０の基端部２０ａに設けられたピニオン２２に噛合するラック２４ａを形成し、棒体２４の他端部には長さ方向に略直交した当接面２４ｂと該当接面２４ｂに立設したピン状の押し部２４ｃとを設けてある。棒体２４を長さ方向に沿って一端部側から他端部側へ付勢する圧縮バネ２５が設けてある。
【００４７】
押し部２４ｃを押し込んでいない場合は、圧縮バネ２５のばね力によって、棒体２４はラック２４ａがピニオン２２に噛合しない位置まで移動し、当接面２４ｂは前キャビネット２の内面に当接し、押し部２４ｃは前キャビネットの側面に設けた孔２ｃから外部に突出した状態となる。また前キャビネット２と後キャビネット８とが対向した位置では、後キャビネット８に設けた係止片２１は、アーム２０の係止部２０ｂより基端部２０ａ側の側面部２０ｃに当接している。この状態で、前キャビネット２と後キャビネット８とを対向する位置から離隔する側に回動すると、アーム２０の側部２０ｃに対する係止片２１の当接位置が先端部側に移動し、所定角度回動した位置で係止片２１がアーム２０の係止部２０ｂに係止され、前キャビネット２と後キャビネット８とが離隔した位置に維持される。
【００４８】
次に押し部２４ｃを手の指等にて内側に押し込むことにより、棒体２４が圧縮バネ２５のばね力に抗して長さ方向に移動し、ラック２４ａがピニオン２２に噛合してアーム２０を弦巻バネ２３のばね力に抗して係止部２０ｂが係止片２１に係合した位置から外れるように揺動させ、前キャビネット２と後キャビネット８との係止が解除される。
【００４９】
なお、上記した第３の実施の形態では、アーム２０の基端部２０ａを係止部２０ｂが係止片２１に係止する側に回転するように付勢する手段として弦巻バネ２３を設けたが、棒体２４の押し部２４ｃを押し込まれていない状態でも、棒体２４のラック２４ａがピニオン２２に噛合する構成にすれば、圧縮バネ２５のばね力が伝達されて、アーム２０の基端部２０ａは係止部２０ｂが係止片２１に係止する側に回転するように付勢されるので、弦巻バネ２３を省略することができる。
【００５０】
さらに、上記した第３の実施の形態の別形態を説明する。図１５は本発明の第３の実施の形態に係る表示装置の別形態の係止機構を示す平面図である。アーム２０の側面部２０ｃに沿って係止片２１の寸法より広い幅を有する通路を形成する通路形成部２０ｅがアーム２０に付設されている。図１５（ａ）は前キャビネット２と後キャビネット８とが対向した状態、（ｂ）は前キャビネット２と後キャビネット８とが所定角度回動してアーム２０の係止部２０ｂが係止片２１に係止した状態である。係止片２１は通路形成部２０ｅで囲まれた通路の外には移動できないので、アーム２０の係止部２０ｂが係止片２１に係止した状態から更に前キャビネット２と後キャビネット８とが開き側に回動することが確実に阻止される。
【００５１】
また、第３の実施の形態におけるアーム式の解除機構を、第１の実施の形態と同様のワイヤー式の解除機構で構成してもよい。
【図面の簡単な説明】
【００５２】
【図１】本発明の第１の実施の形態に係る表示装置を示す斜視図である。
【図２】本発明の第１の実施の形態に係る表示装置の平面図である。
【図３】図２のＩＩＩ−ＩＩＩ線における断面図である。
【図４】本発明の第１の実施の形態に係る表示装置の開閉操作の途中状態を示す平面図である。
【図５】本発明の第１の実施の形態に係る表示装置の開き操作の終了状態を示す平面図である。
【図６】本発明の第１の実施の形態に係る表示装置の解除機構を模式的に示す図である。
【図７】本発明の第１の実施の形態に係る表示装置の解除機構の一部を示す側面図である。
【図８】図７のＶＩＩＩ−ＶＩＩＩ線における断面図である。
【図９】本発明の第２の実施の形態に係る表示装置の斜視図である。
【図１０】本発明の第２の実施の形態に係る表示装置の解除機構を示す斜視図である。
【図１１】本発明の第３の実施の形態に係る表示装置の斜視図である。
【図１２】本発明の第３の実施の形態に係る表示装置の平面図である。
【図１３】本発明の第３の実施の形態に係る表示装置の開き操作の終了状態を示す平面図である。
【図１４】本発明の第３の実施の形態に係る表示装置の解除機構を示す斜視図である。
【図１５】本発明の第３の実施の形態に係る表示装置の別形態の係止機構を示す平面図である。
【符号の説明】
【００５３】
１      液晶パネル（表示パネル）
２      前キャビネット（パネル保持部）
３      パネル保持枠（パネル保持部）
４      バックライトシャーシ（発光体収容部）
４ａ    開口
５      バックライト（発光体）
８      後キャビネット（発光体収容部）
１０    リンク（係止機構）
１０ａ  基端部
１０ｂ  先端部
１０ｃ  突片（係合部、被係合部、係止機構）
１１    リンク（係止機構）
１１ａ  基端部
１１ｂ  先端部
１１ｃ  延長部（被係合部、係合部、係止機構）
１２    ワイヤー（変換手段、解除機構）
１５    バネ（ワイヤー支持手段、変換手段、解除機構）
１６    ハンドル（手動操作具）
１７    ピニオン（変換手段、解除機構）
１８    棒体（変換手段、解除機構）
１８ａ  ラック
１８ｃ  押し部（押圧具、手動操作具）
２０    アーム（係止機構）
２０ａ  基端部
２０ｂ  係止部（係止機構）
２１    係止片（係止機構）
２２    ピニオン（変換手段、解除機構）
２３    弦巻バネ（付勢手段）
２４    棒体（変換手段、解除機構）
２４ａ  ラック
２４ｃ  押し部（押圧具、手動操作具）
２５    圧縮バネ（付勢手段） 
【図１】
2010008940.tif 000003
【図２】
2010008940.tif 000004
【図３】
2010008940.tif 000005
【図４】
2010008940.tif 000006
【図５】
2010008940.tif 000007
【図６】
2010008940.tif 000008
【図７】
2010008940.tif 000009
【図８】
2010008940.tif 000010
【図９】
2010008940.tif 000011
【図１０】
2010008940.tif 000012
【図１１】
2010008940.tif 000013
【図１２】
2010008940.tif 000014
【図１３】
2010008940.tif 000015
【図１４】
2010008940.tif 000016
【図１５】
2010008940.tif 000017